(57)【特許請求の範囲】
【請求項１】
無端状に走行するステップの側方に立設され上端をデッキベースに第一のビスにより固定されたスカートガードと、このスカートガードの前記ステップの反対側の位置においてその上方に立設された欄干パネルと、この欄干パネルと前記スカートガードとの間に設けられ、このスカートガード側が前記デッキベースに固定された内側デッキとからなるマンコンベアの欄干において、
前記欄干の中間部最上段或いは最下段の少なくとも一方の６０ないし１００ｃｍ間のみの前記内側デッキのスカートガード側折り曲げ端部を前記スカートガードと面一或いは内側となるように前記デッキベースに第二のビスにより固定し、この第二のビス及び前記第一のビス部分をステップ側に１２ｍｍ〜1７ｍｍ突出するよう設けられたモールにより覆い、かつ、このモールをこのモール内に収納されるボルトにより前記デッキベースに固定したことを特徴とするマンコンベアの欄干。
【請求項２】
前記モールは前記スカートガードに設けられた穴を介して前記ボルトにより前記デッキベースに固定されることを特徴とする請求項１記載のマンコンベアの欄干。
【請求項３】
無端状に走行するステップと、前記ステップの側方に設けられた欄干とを備えたマンコンベアにあって、前記欄干は、ステップの側方に立設され上端をデッキベースに第一のビスにより固定されたスカートガードと、このスカートガードの前記ステップの反対側の位置においてその上方に立設された欄干パネルと、この欄干パネルと前記スカートガードとの間に設けられ、このスカートガード側が前記デッキベースに固定された内側デッキとを有し、前記欄干の中間部最上段或いは最下段の少なくとも一方の６０ないし１００ｃｍ間のみの前記内側デッキのスカートガード側折り曲げ端部を前記スカートガードと面一或いは内側となるように前記デッキベースに第二のビスにより固定し、この第二のビス及び前記第一のビス部分をステップ側に１２ｍｍ〜1７ｍｍ突出するよう設けられたモールにより覆い、かつ、このモールをこのモール内に収納されるボルトにより前記デッキベースに固定したことを特徴とするマンコンベア。
【請求項４】
前記モールは前記スカートガードに設けられた穴を介して前記ボルトにより前記デッキベースに固定されることを特徴とする請求項３記載のマンコンベア。
【請求項５】
無端状に走行するステップと、前記ステップの側方に設けられた欄干とを備えたマンコンベアにあって、前記欄干は、ステップの側方に立設され上端をデッキベースに第一のビスにより固定されたスカートガードと、このスカートガードの前記ステップの反対側の位置においてその上方に立設された欄干パネルと、この欄干パネルと前記スカートガードとの間に設けられ、このスカートガード側が前記デッキベースに固定された内側デッキとを有し、前記欄干の中間部最上段或いは最下段の少なくとも一方の６０ないし１００ｃｍ間のみの前記内側デッキのスカートガード側折り曲げ端部を前記スカートガードと面一或いは内側となるように前記デッキベースに第二のビスにより固定し、この第二のビス及び前記第一のビス部分をステップ側に１２ｍｍ〜1７ｍｍ突出するよう設けられたモールにより覆い、かつ、このモールをこのモール内に収納されるボルトにより前記デッキベースに固定し、前記モールのみを取外して前記ステップの脱着が行え、かつ、内側デッキを外さずに前記スカートガードを取外して保守作業を行うようにしたことを特徴とするマンコンベアの保守方法。
【請求項６】
前記モールは前記スカートガードに設けられた穴を介して前記ボルトにより前記デッキベースに固定されることを特徴とする請求項５記載のマンコンベアの保守方法。
【発明の詳細な説明】
【技術分野】
【０００１】
この発明は、乗客を階床間に亘って搬送するマンコンベアの欄干及びマンコンベア並びにマンコンベアの保守方法に関する。
【背景技術】
【０００２】
乗客搬送用のマンコンベア例えばエスカレーターは、建屋にトラスが据え付けられ、このトラスに乗客搬送用のステップ列が組み込まれ、このステップ列の両側に欄干が設けられている。
【０００３】
ステップ列は多数のステップを無端状に連結してなり、このステップ列が建屋の下階から上階あるいは上階から下階に向って順次無端走行し、この走行するステップ列を介して乗客を下階から上階あるいは上階から下階に搬送するようになっている。
【０００４】
そして、ステップの側方には僅かな隙間をあけてスカートガードがほぼ垂直に設けられている。このスカートガードはトラスに固定された欄干固定部材から延出するように設けられたブラケットを介してその上下部が支持されている。また、前記欄干固定部材の上には欄干パネルが立設され、この欄干パネルの内面と前記スカートガードの上部側の縁部との間に内側デッキがステップに向かって傾斜するように設けられている。この内側デッキの上部側の縁部は欄干パネルの内面に目地部材を介して固定され、下部側にはステップ側に突出する折り曲げ部が構成され下部側の縁部は、前記スカートガードの上に重ね合わされ、ねじにてブラケットに固定されていた（例えば、特許文献１参照）。
【０００５】
この特許文献１では、保守作業時、ステップを取外して作業を行う場合、内側デッキも取外す必要があった。このため、繰り返しの取外しにより内側デッキが変形し意匠上の問題を生じるばかりか、内側デッキを固定するねじが緩みステップ側にはみ出し衣服等を損傷させるという問題があった。
【０００６】
この問題を解決するため、内側デッキとスカートガードを固定する位置をずらして別々のボルトで固定し、かつ、これらのボルトを薄い覆い部材で覆うものが提案されている（例えば特許文献２参照）。
【特許文献１】特開平３−１３４９４号公報
【特許文献２】特開２０００−４４１５２号公報
【発明の開示】
【発明が解決しようとする課題】
【０００７】
上記特許文献２では、ボルトを覆う覆い部材が薄く、ステップ側の突出量が極めて少なく乗客がスカートガード側に寄り過ぎ、このスカートガードとステップ間に挟まれるという危険があった。また、覆い部分の固定が単に嵌合溝に嵌合するだけであるため、悪戯等により簡単にはがされるという問題があった。
【０００８】
本発明はこのような点に着目してなされたもので、その目的とするところは、内側デッキを取外すことなくステップの脱着を行え、かつ、スカートガードとステップ間に挟まれるという危険性の回避と衣服等の損傷を生じさせないと共に悪戯などにより剥がされることのないようにしたマンコンベアの欄干及びマンコンベア並びにマンコンベアの保守方法を提供することにある。
【課題を解決するための手段】
【０００９】
前記目的を達成するために、本発明の請求項１記載の発明は、無端状に走行するステップの側方に立設され上端をデッキベースに第一のビスにより固定されたスカートガードと、このスカートガードの前記ステップの反対側の位置においてその上方に立設された欄干パネルと、この欄干パネルと前記スカートガードとの間に設けられ、このスカートガード側が前記デッキベースに固定された内側デッキとからなるマンコンベアの欄干において、前記欄干の中間部最上段或いは最下段の少なくとも一方の６０ないし１００ｃｍ間のみの前記内側デッキのスカートガード側折り曲げ端部を前記スカートガードと面一或いは内側となるように前記デッキベースに第二のビスにより固定し、この第二のビス及び前記第一のビス部分をステップ側に１２ｍｍ〜1７ｍｍ突出するよう設けられたモールにより覆い、かつ、このモールをこのモール内に収納されるボルトにより前記デッキベースに固定したことを特徴とする。
【００１０】
このように構成した本発明の請求項１に係る発明では、マンコンベアの保守作業において、内側デッキを取外さずにモールを取外すことによりステップの脱着ができ、次に、その部分のスカートガードを取外すことができる。また、スカートガード上端固定部と前記デッキベース固定部とを、ステップ側に１２ｍｍ〜1７ｍｍ突出するよう設けられたモールにより覆い、かつ、このモールを、このモール内に収納されるボルトにより前記デッキベースに固定したため、スカートガードとステップ間に挟まれるという危険性の回避を図ることができるばかりか衣服等の損傷を生じさせることがなく、かつ、悪戯などにより剥がされることがないという顕著な効果を達成することができる。また、欄干の中間部最上段或いは最下段の少なくとも一方の６０ないし１００ｃｍ間のみでステップの脱着作業を行うため、他の部分の構成に関して特別の考慮を払うことがないという顕著な効果を達成することができる。
【発明の効果】
【００１３】
本発明によれば、ステップを取り外す作業の場合、内側デッキの取り外しを不要とすることができるばかりか、スカートガードとステップ間に挟まれるという危険性の回避を図ることができる。また、衣服等の損傷を生じさせることがなく、かつ、悪戯などにより剥がされることがないという顕著な効果を達成することができる。
【発明を実施するための最良の形態】
【００１４】
以下、本発明に係るエスカレーターの欄干の実施の形態を図に基づいて説明する。
【００１５】
図１は本発明の一実施例になるエスカレーターの全体構成を示す側面図、図２は図１のＸ−Ｘ断面図、図３は欄干構成部分の関連を説明する斜視図、図４は本発明の他の実施例を示す図２に相当の側面図、図５は図４に示されたモールの部分図である。
【００１６】
図１〜図３において、エスカレーター１は、建屋にトラス（いずれも図示せず）が据付けられ、このトラスにステップ２が組み込まれ、このステップ２の両側に欄干３が立設して設けられている。この欄干３の上下部Ａ、Ｃは水平に、中間部Ｂは傾斜して設けられている。そして、前記欄干３の中間部最上段或いは最下段の少なくとも一方の６０ないし１００ｃｍの区間Ｂ１及びＢ２は次のように構成されている。
【００１７】
ステップ２の側方には僅かな隙間をあけてスカートガード４がほぼ垂直に設けられている。このスカートガード４はトラス（図示せず）に固定された欄干固定部材５から延出するように設けられたデッキベース６を介してその上部が皿ねじ７により固定されている。一方、スカートガード４の内面の下部には図示しないフックが取り付けられ、このフックの内側の隙間が下部のブラケット（図示せず）に脱着可能に差し込まれ固定されている。
【００１８】
前記欄干固定部材５の上には欄干パネル８がパッキン９を介して立設され、この欄干パネル９の内面と前記スカートガード４の上部側の縁部との間に内側デッキ１０がステップ２に向かって傾斜するように設けられている。
【００１９】
この内側デッキ１０の上部側の縁部１０Ａは、欄干パネル８の内面にパッキン９を介して固定され、下部側の縁部１０Ｂは、前記デッキベース６の上端に重ね合わされ、ステップ２の上方の空間部分から内側デッキ１０の縁部１０Ｂを貫通してデッキベース６に螺挿された皿ねじ１１により固定されている。１２は前記皿ねじ７，１１を覆うように設けられたモールで、このモール１２はステップ２側に少なくとも１２〜１７mm（この実施例では１５ｍｍ）突出するよう構成され、かつ、モール１２内に収納される隠しボルト１３によりスカートガード４、デッキベース６を介して固定される。ここで、モール１２のステップ２側への突出を１２〜１７mmとしたのは、１２ｍｍでは挟まれ予防の効果が少なく、また、１７ｍｍ以上の場合は意匠性が悪くなるばかりか、乗場領域を狭めてしまうという問題があるためである。
【００２０】
前記スカートガード４には、予め皿ねじ７用及び隠しボルト１３用の通し孔１４が設けられ、内側デッキ１０には、皿ねじ１１用のノッチ孔１５がそれぞれ形成されている。また、デッキベース６には、前記通し穴１４およびノッチ穴１５に対応するように長穴１６が設けられている。
【００２１】
したがって、欄干部分の組立て時は、まず、スカートガード４の上端をデッキベース６に重ね合わせ、皿ねじ７にて固定する。次に、内側デッキ１０の下端部の縁部１０Ｂをデッキベース６の折り曲げ部６Ａに重ね合わせて皿ねじ１１にて固定する。その後、モール１２を前記皿ねじ７，１１を覆うように取付け、隠しボルト１３によってデッキベース６に固定する。
【００２２】
また、ステップ１を取り外す作業の場合、モール１２を固定している隠しボルト１３を緩めてモール１２を取り外し、次に、その部分のスカートガード４を固定している皿ねじ７を緩めて取り外す。
【００２３】
これにより、内側デッキ１０を取り外すことなく、ステップ２の脱着を行うことができる。また、モール１２により前記皿ねじ７，１１を覆うように取付け、隠しボルト１３によってデッキベース６に固定するため、皿ねじやボルトの頭部が緩みによって露出ことはなく衣服などの損傷を生じることはない。
【００２４】
なお、この実施形態では、区間Ｂ１、Ｂ２のみスカートガード４を外す構成としたが、他の部分も同様の構成とすることができる。しかし、区間Ｂ１、Ｂ２とした場合は、それ以外の内側デッキの構成を従来構成とすることができ、部品数などを少なくできる。
【００２５】
次に、他の実施例の図４において、U字形に構成されたデッキベース６の外側片６Bの先端は、内側に折り曲げられることなくまっすぐに立設してある。このデッキベース６の外側片６Bの先端部上に内側デッキ１０の下端部の縁部１０Bが重ね合わされ、皿ねじ１１、できれば低頭ビスにより、先の実施例同様ノッチ穴、長穴を介して固定される。
【００２６】
他方、スカートガード４の上端は、前記内側デッキ１０の下端部の縁部１０Bより下方に位置して（即ち、内側デッキ１０とスカートガード４とは面一となる）、前記デッキベース６の外側片６Bの上に重ね合わされ、先の実施例同様皿ねじ７によりスカートガード４の上端に設けられた穴、デッキベース６に設けられた長穴を介して固定される。ステップ２側に突出するように設けられたモール１２は、前記皿ねじ７、皿ねじ１１の頭部を覆うように設けられ、先の実施例同様スカートガード４の上端に設けられた穴、デッキベース６に設けられた長穴を介して隠しボルト１３により固定されている。なお、この時の隠しボルト１３の頭部１３Aは、図５に示すようにモール１２に設けられた溝１２Aに収納され仮に緩みが生じても外側には突出しないようになっている。
【００２７】
この他の実施例でも先の実施例同様、スカートガード４上端固定部（この例では皿ビス７）と前記内側デッキ１０固定部（この例では皿ビス１１）とを、ステップ２側に突出するよう設けられたモール１２により覆い、かつ、このモール１２を、このモール１２内に収納されるボルト１３により前記デッキベース６に固定したため、皿ビスやボルトの頭部が緩みにより露出することはなく衣服等の損傷を生じさせることはないという顕著な効果を得ることが出来る。
【００２８】
また、ステップ２を取り外す作業の場合、モール１２を固定している隠しボルト１３を緩めてモール１２を取り外し、次に、その部分のスカートガード４を固定している皿ねじ７を緩めて取り外すこともできる。
【００２９】
これにより、内側デッキ１０を取り外すことなく、ステップ２の脱着を行うことができる。
【００３０】
なお、この実施形態でも、区間Ｂ１、Ｂ２のみスカートガード４を外す構成としたが、他の部分も同様の構成とすることができる。しかし、区間Ｂ１、Ｂ２とした場合は、それ以外の内側デッキの構成を従来構成とすることができ、部品数などを少なくできる。
【図面の簡単な説明】
【００３１】
【図１】本発明の一実施例になるエスカレーターの全体構成を示す側面図である。
【図２】図１のＸ−Ｘ断面図である。
【図３】欄干構成部分の関連を説明する斜視図である。
【図４】本発明の他の実施例を示す図２に相当の側面図である。
【図５】図４に示すモールの部分図である。
【符号の説明】
【００３２】
１      エスカレーター
２      ステップ
３      欄干
４      スカートガード
５      欄干固定部材
６      デッキベース
７      皿ねじ
８      欄干パネル
９      パッキン
１０    内側デッキ
１１    皿ねじ
１２    モール
１３    隠しボルト
【図１】
0004792480.tif 000002
【図２】
0004792480.tif 000003
【図３】
0004792480.tif 000004
【図４】
0004792480.tif 000005
【図５】
0004792480.tif 000006